(57)【要約】  【課題】  映像情報を記録できない光ディスクの楽曲情報を再生しながらモニタ等の画面に関連映像を表示し、ユーザーの興趣を高めることができるディスク再生装置を提供する。  【解決手段】  光ディスク２の情報再生に関した指令や情報を入力する入力手段１６と、映像情報が導入される端子部１８と、前記映像情報を記憶する記憶手段１９と、前記映像情報を画面に表示する表示手段１４と、前記入力手段１６からの情報記憶指令を受けたとき、前記端子部１８に導入される映像情報を前記光ディスク２の音声情報に対応させて前記記憶手段１９に記憶した後、前記入力手段１６からの情報再生指令を受けたとき、前記光ディスク２の情報再生を開始するとともに、当該音声情報に対応する映像情報を前記記憶手段１９から読み出して前記表示手段１４の画面に映像を表示させ、また、前記光ディスク２の音声情報再生時、前記端子部１８に映像情報が導入されたときは前記画面にその映像を表示させる制御を行う制御手段２０と、を備えた。【選択図】      図  １
2006147088.tif 000002
【特許請求の範囲】
【請求項１】
音声情報を所定のフォーマットで記録した複数種類の光ディスクを再生するディスク再生装置において、
前記光ディスクの情報再生に関した指令や情報を入力する入力手段と、
映像情報が導入される端子部と、
前記映像情報を記憶する記憶手段と、
前記映像情報に基づいて画面に映像を表示する表示手段と、
前記入力手段からの情報記憶指令を受けたとき、前記端子部に導入される映像情報を前記光ディスクの音声情報に対応させて前記記憶手段に記憶した後、前記入力手段からの情報再生指令を受けたとき、前記光ディスクの音声情報再生を開始するとともに、当該音声情報に対応する映像情報を前記記憶手段から読み出して前記表示手段の画面に映像を表示させ、また、前記光ディスクの音声情報再生時、前記端子部に映像情報が導入されたときは前記画面にその映像を表示させる制御を行う制御手段と、を備えたディスク再生装置。
【請求項２】
前記光ディスクが、音声情報として楽曲情報を記録し、この楽曲情報に関連したジャンルや歌手等を文字情報で所定エリヤに記録してなることを特徴とする請求項１に記載のディスク再生装置。
【請求項３】
前記光ディスクが、音声情報を記録する複数の記録層を有したＳＡＣＤを含むことを特徴とする請求項１または２に記載のディスク再生装置。
【発明の詳細な説明】
【技術分野】
【０００１】
本発明は、ＣＤ(Compact Disc)やＳＡＣＤ（Super Audio Compact Disk）等を再生するディスク再生装置に係り、特に、映像情報を記録できない光ディスクの音声情報を再生しながらモニタの画面に関連映像を表示可能とし得るディスク再生装置に関する。
【背景技術】
【０００２】
光ディスクは、多用途化しているが、音楽用のＣＤやＣＤ―ＲＯＭ等は記憶容量が比較的小さいので、音声情報の他に映像情報を記憶することは想定されていない。
【０００３】
しかし、ＣＤで画像表示も提供できると、付加価値が大幅に高められることから：、記憶容量の限界を解消することを目的としたディスク記録媒体および音楽再生装置が知られている（例えば、特許文献１参照）。
【０００４】
このものは、オーディオデータの記録エリヤ以外のエリヤに動画のクリップ画像とそれらの間の対応エリヤファイルを記録するようにしている。
【０００５】
この対応エリヤファイルは、複数のクリップ画像の間を補間し、中間画像を生成して動画を構成する。
【０００６】
そして、この動画情報をＣＤ―ＲＯＭに記録しておき、再生時に表示することにより、ＣＤ―ＲＯＭにオーディオと動画のデータを記録する場合に生じる記憶容量の限界を解消できるというものである。
【特許文献１】特開２００４−１３９７１０号公報  また、音楽用ディスクの再生時に所望の画像を表示することを目的とした再生装置および再生方法が提案されている（例えば、特許文献２参照）。
【０００７】
このものは、音楽用ディスクの再生に先立ち、ハードディスクに蓄積されている多数の画像から、ディスクに対応して画面に表示したい画像を選択し、その選択画像のファイル名を当該ディスクに記録されているＴＯＣエリヤやＣＤテキスト情報や使用者入力のディスクタイトル等と対応づけて記憶部に登録しておく。
【０００８】
そして、この登録処理済みのＣＤを再生する際に記憶部の登録情報に基づき、ハードディスク等から所望の画像を検索し、その画像をディスプレイに表示するようになっている。
【０００９】
これにより、画像データの記録されていない音楽用ディスクを再生した場合にも、所望の画像を表示してディスプレイを有効にできるというものである。
【特許文献２】特開２０００−２６８５４３号公報
【発明の開示】
【発明が解決しようとする課題】
【００１０】
ところで、上記特許文献１のディスク記録媒体および音楽再生装置は、動画情報をＣＤ―ＲＯＭに記録しておくが、このＣＤ―ＲＯＭを含むディスクそのものは記憶容量に一定の制限があり、動画情報の記憶は短時間に限定されるという難点があった。
【００１１】
また、上記特許文献２の再生装置および再生方法は、予めハードディスクに蓄積されている画像情報のみをディスプレイに送出して画像を表示するので、他の情報源から幅広く情報を入手して利用することができないという限界があった。
【００１２】
本発明は、上記課題に鑑みてなされたもので、映像情報を記録できない光ディスクの楽曲情報を再生しながらモニタ等の画面に関連映像を表示し、ユーザーの興趣を高めることができるディスク再生装置を提供することを目的としている。                 
【課題を解決するための手段】
【００１３】
上記目的を達成するため本発明は、音声情報を所定のフォーマットで記録した複数種類の光ディスクを再生するディスク再生装置において、前記光ディスクの情報再生に関した指令や情報を入力する入力手段と、映像情報が導入される端子部と、前記映像情報を記憶する記憶手段と、前記映像情報に基づいて画面に映像を表示する表示手段と、前記入力手段からの情報記憶指令を受けたとき、前記端子部に導入される映像情報を前記光ディスクの音声情報に対応させて前記記憶手段に記憶した後、前記入力手段からの情報再生指令を受けたとき、前記光ディスクの音声情報再生を開始するとともに、当該音声情報に対応する映像情報を前記記憶手段から読み出して前記表示手段の画面に映像を表示させ、また、前記光ディスクの音声情報再生時、前記端子部に映像情報が導入されたときは前記画面にその映像を表示させる制御を行う制御手段と、を備えたことを特徴としている。
【００１４】
また、前記光ディスクが、音声情報として楽曲情報を記録し、この楽曲情報に関連したジャンルや歌手等を文字情報で所定エリヤに記録してなることを特徴としている。
【００１５】
また、前記光ディスクが、音声情報を記録する複数の記録層を有したＳＡＣＤを含むことを特徴としている。
【発明の効果】
【００１６】
以上説明したように、本発明のディスク再生装置は、光ディスクの音声情報再生時に予め記憶した映像情報を記憶手段から読み出して表示手段の画面に映像を表示させるので、ユーザーは楽曲を聴きながら、この楽曲に関連した映像を見て楽しむことができる。
【００１７】
さらに、前記音声情報再生時、端子部に映像情報が導入されたときは画面にその映像を優先的に表示させるので、外部電子機器等からの映像情報を幅広く利用でき、楽曲情報の内容に応じた興趣の高い映像情報を提供し得る効果がある。
【００１８】
また、前記光ディスクが、記録された楽曲情報に関連したジャンルや歌手等を文字情報で所定エリヤに記録しているため、この文字情報を用いて映像情報を記憶したり、簡便に映像表示させることができる利点がある。
【００１９】
また、前記光ディスクが、音声情報を複数の記録層に記録するＳＡＣＤを含むものであり、映像情報の記録が難しいこの種の音楽用ディスクでも、音楽とともに所望の映像を提供できる利点がある。
【発明を実施するための最良の形態】
【００２０】
以下、本発明のディスク再生装置の実施形態について、図面を参照しながら詳述する。
【００２１】
図１は本発明の一実施形態であるディスク再生装置の電気的構成を示すブロック線図である。
【００２２】
本実施形態のディスク再生装置は、CDおよびSACDの再生が可能なディスクプレイヤー１に適用されたもので、リモコン (リモートコントローラ)１６ の押キー操作により楽曲情報を再生し、モニタ１４に所望の映像を表示させる構成になっている。
【００２３】
SACDは、２つのデータ記録層を有した2層ディスクであり、ＣＤ層（スタンダード密度層）に普及型のCDと同等のスタンダード密度の音声情報が記録される。また、ＨＤ層（高密度層）には高密度の音声情報が記録される。
【００２４】
このSACDは、リードインエリヤ、ユーザーデータエリヤおよびリードアウトエリヤからなり、ユーザーデータエリヤに音声情報が、リードインエリヤには音声情報に関した管理情報が、リードアウトエリヤに終了情報が記録される。
【００２５】
音声情報として、本例では、ポップスの楽曲情報が記録されている。そして、リードインエリヤのＴＯＣエリヤには、その楽曲情報の経過時間情報に対応させたアドレスデータが記録されている。
【００２６】
よって、このＴＯＣエリヤのデータが読み出されると、ユーザーデータエリヤに記録された楽曲の記録開始および終了位置、さらに、詳細な記録時間等をモニタ１４の画面１４ａに表示可能である。
【００２７】
また、リードインエリヤのテキスト情報エリヤには、楽曲の場合、ジャンルや歌手名が記録されるようになっている。このジャンルは、ポップス、クラッシック、ロックおよび演歌等様々である。
【００２８】
これにより、楽曲情報を再生するとき、ジャンルや歌手別で後述のハードディスクに予め記録した映像情報を読み出し、画面１４ａに歌手の写真や様々なシーンの映像を表示可能である。
【００２９】
図１において、２はCDやSACD等の光ディスクであり、トレイに載置される。３は駆動系のモータであり、トレイを回転駆動させる。また、４は光ピックアップであって、CD 用のピックアップとSACD用のピックアップとを備えている。
【００３０】
この光ピックアップ４は、何れかのディスク２の記録トラックから光学的に読み取った情報をＲＦアンプ６に送出する。このＲＦアンプ６は、読取情報を音声信号として信号処理部７に送出する。
【００３１】
この信号処理部７は、CDまたはSACDからの音声信号を判別し、その種別に応じた出力信号をＣＤ再生部８もしくはSACD再生部９に送出する。
【００３２】
ＣＤ再生部８は、音声信号をデコード（再生処理）して音声信号出力部（音声出力部）１０に送出する。一方、SACD再生部９は、音声信号をデコードして音声信号出力部１０に送出する。
【００３３】
この音声信号出力部１０には、外部接続端子１０ａを介してスピーカ１１が接続されており、ＣＤ再生部８またはSACD再生部９からの出力信号を受けて音声を放音する。
【００３４】
なお、モータ３や光ピックアップ４は、サーボ制御部５により動作速度等が制御されるようになっている。
【００３５】
１２は、OSD（On Screen Display）信号を出力する表示回路であり、制御部２０の出力が導かれ、映像信号出力部（映像出力部）１３に接続されている。
【００３６】
この映像信号出力部１３には、外部接続端子１３ａを介してテレビのモニタ１４が接続されている。
【００３７】
これにより、表示回路１２は、制御部２０の表示制御に基づいて、OSD信号を映像信号出力部１３に送出し、モニタ１４の画面１４ａに予め設定されたメニュー等を表示させる。
【００３８】
なお、映像信号出力部１３には、インターフェース１５を介してハードディスクドライブ（ＨＤＤ）１９の出力が導かれている。
【００３９】
そして、このＨＤＤ１９から静止画または動画の映像情報が送出されてくると、モニタ１４側に映像信号を送出して画面１４ａに歌手やシーン等を表示させる。
【００４０】
１６はリモコンであり、リモコン本体にはディスクプレイヤー１を操作するための各種操作キーが配設されている。
この操作キーとしては、一般のリモコンと同様、電源オン・オフ用のパワーキーやトレイ開閉用の開閉キー、また、テンキー、メニューキー、設定キー、決定キーおよびカーソルキー等を備えている。
テンキーには、各数字キーに文字や記号が割り当てられており、モード切替によってジャンルや歌手名の入力が可能となる。
【００４１】
メニューキーは、画面１４aにメニュー（MENU）を表示させる指令を出力する。設定キーは、各種設定を開始する指令を出力する。決定キーは、前記キーの操作に応じて画面１４aに表示された選択項目を決定する指令を出力する。
【００４２】
カーソルキーは、機能キーを兼ねており、上下左右に配置された各キーにプレイやストップの機能が割り当てられている。
【００４３】
このカーソルキーは、メニューキーで画面１４aにメニューを表示させたときに何れかを操作すると、画面１４a上のカーソルを移動させて所望の項目を選択する指令を出力するようになっている。
【００４４】
このように構成されたリモコン１６は、何れかのキーが押圧操作されると、この操作内容に応じた情報が赤外線信号でディスクプレイヤー１側に送信される。
【００４５】
１７は受信部であり、リモコン１６から送信されてくる赤外線信号を受信して、その伝送信号を制御部２０側に送出する。
【００４６】
１８はUSB端子であり、パーソナルコンピュータ、スキャナ、ディジタルカメラ等が接続され、これらからの映像情報を制御部２０に伝送する。
【００４７】
１９はＨＤＤであり、制御部２０の制御によって大容量のハードディスクに静止画および動画情報をファイルで記録する一方、この記録情報を読み出してインターフェース１５を介し映像信号出力部１３に送出する。
なお、静止画は、歌手やシーンの写真であり、予め多数枚分が取り込まれてハードディスクに記憶されると、楽曲の再生中にスライドショーが可能になる。
また、動画も歌手やシーンであり、その映像が取り込まれてハードディスクに記憶されると、楽曲の再生中に映像を動画で表示することができる。
【００４８】
２０はマイクロコンピュータからなる制御部であり、回路各部とその機能に応じて一方向または双方向性に接続されていて、装置全体の動作を制御する。
この制御部２０は、リモコン１６からの指令信号に対応したモードに移行し、サーボ制御部５に制御信号を送出して駆動機構を制御することにより、通常の再生や各種動作を実行する。
また、ディスク２の記録情報を読み出してスピーカ１１から音声を放音させるとともに、ハードディスクの情報を読み出してモニタ１４の画面１４aに映像を表示させる構成になっている。
【００４９】
次に、上記ディスクプレイヤーの動作について、図を参照しつつ説明する。
【００５０】
ここでは、ディスクプレイヤー１でSACDを再生する場合について説明する。
【００５１】
このSACDは、前述のようにポップスが記録されており、ディスクの表面やカバーにポップス名、歌手名および記録時間等が印刷表示されている。
【００５２】
また、SACDのユーザーデータエリヤに、ポップスの音声情報が記録されており、テキスト情報エリヤには同じくポップス名および歌手名の文字情報が記録されている。
【００５３】
ユーザーは、このポップスを聴きながら映像を見て楽しめるよう予め準備しておく。このユーザーが、例えば、歌手の写真を集めたスライドショーを制作する場合、用紙に印画された写真を用いるときは、スキャナを使用する。
【００５４】
まず、USB端子１８にスキャナを接続した後、歌手の写真をスキャナで順次読取らせる。
そして、このスキャナを操作し映像情報を出力させる。このときは、ポップスの記録時間に合わせて必要枚数を取り込めばよい。
この映像情報がディスクプレイヤー１に送出されてくると、制御部２０はＨＤＤ１９を駆動させてハードディスクの所定エリヤに順次記憶させる。
【００５５】
この後、SACDの音声情報とハードディスクの映像情報がリンクするように、ユーザーが画像登録を行っておく。
【００５６】
リモコン１６のメニューキーを操作すると、図2に示す如くモニタ１４の画面１４ａに初期化、設定、登録等のメニュー項目が表示される。
【００５７】
ここで、登録を選択すると、図３に示すように、画面１４ａにジャンルや歌手が表示される。ユーザーがジャンルを選択すると、図4に示す如くポップス、クラッシック、ロックおよび演歌等のジャンルが表示される。
【００５８】
このジャンルでポップスを選択すると、ポップスの文字情報がハードディスクに登録される。
このとき、制御部２０は、前記映像情報のアドレスにポップスの文字情報を対応させて記憶する。
これにより、SACDの再生時にポップスを示すテキスト情報が送出されてくると、ハードディスクからポップスの文字情報に対応した映像情報の読み出しが可能になる。
なお、SACDがジャンルとともに歌手名を記録している場合は、前述のポップスの代わりに歌手名を入力してもよい。
この際は、図３に示す登録画面で歌手を選択すると、制御部２０は図5に示すように、歌手名の入力を促す案内文字や空白を表示させる。
ここで、ユーザーがリモコン１６を操作し、歌手名を入力して決定キーを押すと、歌手名の文字情報が送信される。
【００５９】
制御部２０は、これを受けて前記映像情報のアドレスに対応させ、ハードディスクに記憶させる。
これにより、SACDの再生時に歌手名の文字情報が送出されてくると、ハードディスクから歌手名に対応した映像情報の読み出しが可能になる。
【００６０】
ところで、使用する写真がディジタルカメラで撮影されたものであれば、USB端子１８にディジタルカメラを接続し、これを操作して映像情報を出力させる。
【００６１】
この映像情報を受けると、制御部２０はハードディスクの所定エリヤに記憶させる。よって、前述の印画された写真と同様、スライドショーに利用することができる。
【００６２】
また、ユーザーが、楽曲を聴きながら動画像を見て楽しみたい場合は、ビデオカメラで撮像した映像を取り込めばよい。
この場合は、USB端子１８にビデオカメラを接続し、これを操作して映像情報を出力させる。この映像情報を受けると、制御部２０はハードディスクの所定エリヤに記憶させる。
このときも、ポップスの記録時間に合わせて必要時間分を取り込んでおく。そして、前述のように、ジャンルまたは歌手名で登録を行う。
【００６３】
次に、SACD再生する場合、このSACDをトレイに入れてセットする。
【００６４】
ユーザーがリモコン１６のプレイキーを操作すると、制御部２０が再生動作を開始させる。
【００６５】
SACDの情報が光ピックアップ４で読取られると、信号処理部７に送出される。この信号処理部７は、リードインエリヤの読取情報からテキスト情報を抽出して制御部２０側に伝送する。
【００６６】
また、信号処理部７は、続いて入力するS ACDからの音声信号を判別し、その出力信号をSACD再生部９に送出する。このSACD再生部９は、音声信号をデコードして音声信号出力部１０に送出する。
この音声信号出力部１０は、音声信号をスピーカ１１側に送出してポップスの楽曲を放音させる。
一方、前記テキスト情報を受けた制御部２０は、このテキスト情報から文字情報を判別する。このときは、文字情報と予めメモリに記憶されているジャンル情報とを順次比較する。
ここで、文字情報がポップスであることが判明すると、HDD１９を駆動させてハードディスクよりポップスに対応した映像情報を読み出す。
【００６７】
そして、この映像情報を映像信号出力部１２に送出し、モニタ１４の画面１４aに写真の映像を順次表示させる。この写真映像は、ポップスの楽曲がスピーカ１１から放音される間、画面１４aに表示され続けるので、歌手のスライドショーとなる。
【００６８】
これにより、ユーザーは、ポップスを聴きながらその歌手のスライドショーを見ることができる。
なお、このようにジャンル情報ではなく、予め歌手名を登録してあった場合は、この歌手名を示すテキスト情報が制御部２０に送出されてくる。
【００６９】
この制御部２０は、ハードディスクから歌手名に対応した映像情報を読み出すので、前述のように、ポップスが放音されている間、その歌手のスライドショーを画面１４aに表示させる。
また、ビデオカメラで撮像したシーン等をハードディスクに記憶させておくことにより、SACDの再生時にジャンルまたは歌手名で動画情報を読み出し、画面１４aにシーンを表示させることができる。
【００７０】
よって、ユーザーは、シーンを動画像で見ながらポップスを聴くことができる。
【００７１】
ところで、ビデオカメラの撮像シーンを利用する場合は、ハードディスクに記憶させず直接に映像表示してもよい。
この場合は、USB端子１８にビデオカメラを接続し、これを操作して映像情報を出力させる。このときは、音声情報の再生に映像情報の再生を同期させる。
すると、ポップスが放音されつつ、画面１４aにはシーンが動画像で映し出される。よって、ユーザーは、音楽を聴きながらワンパターンの映像でなく常に新しい撮像画を見て楽しむことができる。
【００７２】
なお、本発装置明は上記の各実施形態に限定されず、本発明の趣旨を逸脱しない範囲で、種々の変更が可能である。
【図面の簡単な説明】
【００７３】
【図１】本発明の一実施形態であるディスク再生装置の電気的構成を示すブロック線図である。
【図２】モニタに表示されたメニューの画面図である。
【図３】モニタに表示された映像登録の画面図である。
【図４】モニタに表示されたジャンル登録の画面図である。
【図５】モニタに表示された歌手名入力の画面図である。
【符号の説明】
【００７４】
１      ディスク再生装置
２      光ディスク
１４    表示手段
１６    入力手段
１８    端子部
１９    記憶手段
２０    制御手段
【図１】
2006147088.tif 000003
【図２】
2006147088.tif 000004
【図３】
2006147088.tif 000005
【図４】
2006147088.tif 000006
【図５】
2006147088.tif 000007